(57)【特許請求の範囲】
【請求項１】
光源部と、
前記光源部から照射された光を所定の方向に反射する第１反射部と、前記第１反射部により反射された光と前記光源部から直接照射された光とを前記所定の方向と交差する前方向に反射する第２反射部と、前記第２反射部により前方向に反射された光を表示する表示部とを含むレンズ部材とを備え、
前記光源部は、少なくとも前記第２反射部と前後方向の位置が重なるように配置され、
前記レンズ部材の第１反射部は、段差形状に形成されており、
前記光源部から照射された光のうち、前記段差形状の前記第１反射部によって反射された光を用いる構成により前記段差形状を反映するように、所定の間隔を隔てて複数の直線状の第１の光点が前記表示部に表示されるとともに、前記光源部から照射された光のうち、前記光源部から直接照射された光を用いる構成により前記光源部の形状を反映するように円形状の第２光点が前記表示部に表示される、インジケータ装置。
【請求項２】
前記レンズ部材は、前記第１反射部を含む前記所定の方向に延びる第１部分と、前記第１部分から前方向に延びるとともに、前端面に前記表示部を含む第２部分とを含み、
前記第２反射部は、前記第１部分と前記第２部分との境界部近傍の外面に設けられた第１傾斜部により構成されている、請求項１に記載のインジケータ装置。
【請求項３】
前記レンズ部材の第１部分には、前記前方向から見た前記レンズ部材の幅方向の中央部に配置されるとともに前記所定の方向に凹状に窪む、前記光源部を配置するための光源配置部が設けられており、
前記第１部分の外側の側面には、前記光源配置部からの光を前記所定の方向に反射する前記第１反射部を構成する第２傾斜部が設けられている、請求項２に記載のインジケータ装置。
【請求項４】
前記光源部は、前記第１部分の幅方向の中央部の光源配置部に配置された１つの発光ダイオード素子により構成されており、
前記第１反射部を構成する第２傾斜部は、前記１つの発光ダイオード素子を挟むように、前記第１部分の外側の両方の側面に設けられている、請求項３に記載のインジケータ装置。
【請求項５】
前記レンズ部材の表示部の表面は、前記第２反射部により反射された光が前記表示部を透過する際に光を発散させるための微細な凹凸形状部を有している、請求項１〜４のいずれか１項に記載のインジケータ装置。
【請求項６】
前記レンズ部材は、透光性の樹脂により形成されている、請求項１〜５のいずれか１項に記載のインジケータ装置。
【請求項７】
前記レンズ部材は、前記第１反射部を含む前記所定の方向に延びる第１部分と、前記第１部分から前方向に延びるとともに、前端面に前記表示部を有する第２部分とを含み、
前記レンズ部材の第１部分と第２部分とは、一体的に形成されている、請求項１〜６のいずれか１項に記載のインジケータ装置。
【請求項８】
インジケータ装置を含むディスク装置を一体的に備え、
前記インジケータ装置は、
光源部と、
前記光源部から照射された光を所定の方向に反射する第１反射部と、前記第１反射部により反射された光と前記光源部から直接照射された光とを前記所定の方向と交差する前方向に反射する第２反射部と、前記第２反射部により前方向に反射された光を表示する表示部とを含むレンズ部材とを含み、
前記光源部は、少なくとも前記第２反射部と前後方向の位置が重なるように配置され、
前記レンズ部材の第１反射部は、段差形状に形成されており、
前記光源部から照射された光のうち、前記段差形状の前記第１反射部によって反射された光を用いる構成により前記段差形状を反映するように、所定の間隔を隔てて複数の直線状の第１の光点が前記表示部に表示されるとともに、前記光源部から照射された光のうち、前記光源部から直接照射された光を用いる構成により前記光源部の形状を反映するように円形状の第２光点が前記表示部に表示される、テレビジョン装置。
【発明の詳細な説明】
【技術分野】
【０００１】
この発明は、インジケータ装置およびテレビジョン装置に関し、特に、光源部と表示部とを備えたインジケータ装置およびそのインジケータ装置を含むディスク装置を備えたテレビジョン装置に関する。
【背景技術】
【０００２】
従来、光源部と表示部とを備えたインジケータ装置が知られている（たとえば、特許文献１〜３参照）。
【０００３】
上記特許文献１には、発光ダイオード（光源部）と表示部とを備えた発光ダイオード表示装置（インジケータ装置）が開示されている。この発光ダイオード表示装置では、発光ダイオードからの光による表示部への照射領域を拡大するために、表示部と発光ダイオードとの間に複数の開口部を有する捨て基板が配置されている。この複数の開口部により、発光ダイオードからの光は、開口部を透過する際に、干渉効果を起こした状態で表示部へ進行するので、表示部への照射領域を拡大させることが可能となる。
【０００４】
また、上記特許文献２には、発光ダイオード（光源部）と、表示部を含むＬＥＤレンズとを備えたインジケータ装置が開示されている。このインジケータ装置の発光ダイオードは、表示部から、インジケータ装置の奥行き方向および奥行き方向と直交する方向の両方に離間した位置に配置されている。また、発光ダイオードと表示部との間には、発光ダイオードの前方（表示方向）近傍から表示部に向かって奥行き方向と奥行き方向と直交する方向とに延びるように斜めに形成された入光部が設けられている。この入光部は、発光ダイオード側の表面に微細な凹凸形状を含んでいる。これにより、発光ダイオードから照射された光は、入光部を透過する際に、乱反射した状態で表示部に進行するので、表示部への照射領域を拡大することが可能となる。
【０００５】
また、上記特許文献３には、ＬＥＤ（光源部）と表示窓（表示部）とを備えたインジケータ装置が開示されている。このインジケータ装置では、ＬＥＤからの光による表示窓への照射領域を拡大するために、ＬＥＤと表示窓との間にＬＥＤレンズが配置されている。このＬＥＤレンズには、ＬＥＤに対して凸形状に湾曲した形状の半円柱形状の受光部がＬＥＤ側に設けられており、表面が鋸歯形状になるように形成された出光部が表示窓側に設けられている。この構成により、ＬＥＤからの光は、ＬＥＤレンズを透過する際に、乱反射しながら透過して表示窓に進行するので、表示窓への照射領域を拡大することが可能となる。
【０００６】
【特許文献１】特開２００５−４０５５号公報
【特許文献２】特開２００５−３２７５４８号公報
【特許文献３】特開平９−１２７８８６号公報
【発明の開示】
【発明が解決しようとする課題】
【０００７】
しかしながら、上記特許文献１に記載の発光ダイオード表示装置では、発光ダイオードからの光による表示部への照射領域を拡大するために、発光ダイオードと表示部との間に複数の開口部を含む捨て基板を設ける必要があるとともに、干渉を起こさせた発光ダイオードからの光が表示部への照射領域を拡大させるために所定の奥行きが必要となる。このため、発光ダイオード表示装置の奥行きを大きくする必要があるという問題点がある。
【０００８】
また、上記特許文献２に記載のインジケータ装置では、発光ダイオード（ＬＥＤ）からの光による表示部への照射領域を拡大するために、表示部と入光部とを含むＬＥＤレンズが設けられており、ＬＥＤは、このＬＥＤレンズと奥行き方向に離間した位置に配置されている。このため、インジケータ装置の奥行き方向の大きさは、少なくともＬＥＤレンズの奥行き方向の大きさと、ＬＥＤの奥行き方向の大きさとを足した大きさになるので、インジケータ装置を奥行き方向に大きくする必要があるという問題点がある。
【０００９】
また、上記特許文献３に記載のインジケータ装置では、ＬＥＤからの光による表示窓への照射領域を拡大するために、ＬＥＤと表示窓との間に、半円柱状の受光部と表面に鋸歯形状を有する出光部とを含むＬＥＤレンズを配置する必要があるので、ＬＥＤと表示窓との間の距離が大きくなる。このため、インジケータ装置の奥行きを大きくする必要があるという問題点がある。
【００１０】
この発明は、上記のような課題を解決するためになされたものであり、この発明の１つの目的は、光源部からの光による表示部への照射領域を拡大しながら、インジケータ装置の奥行きが大きくなることを抑制することが可能なインジケータ装置を提供することである。
【課題を解決するための手段および発明の効果】
【００１１】
この発明の第１の局面によるインジケータ装置は、光源部と、光源部から照射された光を所定の方向に反射する第１反射部と、第１反射部により反射された光と光源部から照射された光とを所定の方向と交差する前方向に反射する第２反射部と、第２反射部により前方向に反射された光を表示する表示部とを含むレンズ部材とを備え、光源部は、少なくとも第２反射部と前後方向の位置が重なるように配置され、レンズ部材の第１反射部は、段差形状に形成されており、光源部から照射された光のうち、段差形状の第１反射部によって反射された光を用いる構成により段差形状を反映するように、所定の間隔を隔てて複数の直線状の第１の光点が表示部に表示されるとともに、光源部から照射された光のうち、光源部から直接照射された光を用いる構成により光源部の形状を反映するように円形状の第２光点が表示部に表示される。
【００１２】
この第１の局面によるインジケータ装置では、上記のように、所定の方向に反射する第１反射部と、所定の方向と交差する前方向に反射する第２反射部と、第２反射部により反射された光を表示する表示部とを含むレンズ部材を備えることによって、光源部からの光は、第１反射部により反射されて所定の方向に進行した後に、第２反射部により反射されて所定の方向と交差する前方向に進行して表示部により表示されるので、光源部から照射された光は、光源部から表示部まで所定の方向および前方向の合計の距離の分だけ進行する。これにより、光源部から照射された光は、表示部に到達するまでに拡大するので、光源部からの光による表示部への照射領域を拡大させることができる。また、光源部をレンズ部材の一部である第２反射部と前後方向の位置が重なるように配置して、光源部からの光を第２反射部により所定の方向と交差する前方向に反射させて表示部に表示させることによって、光源部とレンズ部材の第２反射部とが前後方向に重なる分だけ、インジケータ装置の奥行き方向の長さを小さくすることができるので、インジケータ装置の奥行き方向の長さが大きくなるのを抑制することができる。その結果、光源部からの光による表示部への照射領域を拡大させながら、インジケータ装置の奥行きが大きくなることを抑制することができる。また、レンズ部材の第１反射部は、段差形状に形成されており、光源部から照射された光のうち、第１反射部によって反射された光が段差形状を反映するように表示部に表示されるとともに、光源部から照射された光のうち、光源部から直接照射された光が光源部の形状を反映するように表示部に表示されるように構成されている。このように構成すれば、光源部からの光は、第１反射部に複数設けられた段差のそれぞれにより反射されることによって、表示部に第１反射部が有している段差の数だけ光点を表示させることができる。
【００１３】
上記第１の局面によるインジケータ装置において、好ましくは、レンズ部材は、第１反射部を含む所定の方向に延びる第１部分と、第１部分から前方向に延びるとともに、前端面に表示部を含む第２部分とを含み、第２反射部は、第１部分と第２部分との境界部近傍の外面に設けられた第１傾斜部により構成されている。このように構成すれば、第２部分の前端面に設けられた表示部に対して第２反射部は、第２部分の後端部に設けられるので、第２反射部により反射した光源部からの光は、第２部分の前方向のほぼ全ての長さを透過して進行する。これにより、表示部に表示される光の照射領域を効率的に拡大させることができる。
【００１４】
上記レンズ部材が第１部分と第２部分とを含む構成において、好ましくは、レンズ部材の第１部分には、前方向から見たレンズ部材の幅方向の中央部に配置されるとともに所定の方向に凹状に窪む、光源部を配置するための光源配置部が設けられており、第１部分の外側の側面には、光源配置部からの光を所定の方向に反射する第１反射部を構成する第２傾斜部が設けられている。このように構成すれば、第１部分の幅方向の中央部に配置される光源配置部からの光は、第２傾斜部を有する第１反射部により反射される際に、第１反射部の第２傾斜部により、所定の広がりを有した状態で上方向に向かって反射される。これにより、第２反射部のみならず、第１反射部により反射された光によっても光の照射領域を拡大することができるので、表示部に表示される光の照射領域をより効率的に拡大させることができる。
【００１５】
この場合、好ましくは、光源部は、第１部分の幅方向の中央部の光源配置部に配置された１つの発光ダイオード素子により構成されており、第１反射部を構成する第２傾斜部は、１つの発光ダイオード素子を挟むように、第１部分の外側の両方の側面に設けられている。このように構成すれば、１つの発光ダイオード素子を用いて、２つの第１反射部により光を所定の広がり角度を有した状態で所定の方向に向かって反射させることができるので、１つの発光ダイオード素子を用いる場合にも、表示部に表示される光の照射領域をより有効に拡大させることができる。
【００１７】
上記第１の局面によるインジケータ装置において、好ましくは、レンズ部材の表示部の表面は、第２反射部により反射された光が表示部を透過する際に、光を発散させるための微細な凹凸形状部を有している。このように構成すれば、第２反射部により反射された光は、表示部を透過する際に発散されるため、表示部に表示される光の照射領域をさらに拡大させることができる。
【００１８】
上記第１の局面によるインジケータ装置において、好ましくは、レンズ部材は、透光性の樹脂により形成されている。このようにレンズ部材を透光性を有するように形成することによって、光源部からの光は、レンズ部材を容易に透過することができる。また、レンズ部材を樹脂で形成することによって、複雑な形状でも樹脂成形により容易に形成することができる。
【００１９】
上記第１の局面によるインジケータ装置において、好ましくは、レンズ部材は、第１反射部を含む所定の方向に延びる第１部分と、第１部分から前方向に延びるとともに、前端面に表示部を有する第２部分とを含み、レンズ部材の第１部分と第２部分とは、一体的に形成されている。このように構成すれば、レンズ部材の第１部分と第２部分とを別々に設ける場合と比較して、部品点数を削減することができる。
【００２０】
この発明の第２の局面によるテレビジョン装置は、ディスク装置を一体的に備え、ディスク装置は、インジケータ装置を含み、インジケータ装置は、光源部と、光源部から照射された光を所定の方向に反射する第１反射部と、第１反射部により反射された光と光源部から照射された光とを所定の方向と交差する前方向に反射する第２反射部と、第２反射部により前方向に反射された光を表示する表示部とを含むレンズ部材とを含み、光源部は、少なくとも第２反射部と前後方向の位置が重なるように配置され、レンズ部材の第１反射部は、段差形状に形成されており、光源部から照射された光のうち、段差形状の第１反射部によって反射された光を用いる構成により段差形状を反映するように、所定の間隔を隔てて複数の直線状の第１の光点が表示部に表示されるとともに、光源部から照射された光のうち、光源部から直接照射された光を用いる構成により光源部の形状を反映するように円形状の第２光点が表示部に表示される。
【００２１】
この第２の局面によるテレビジョン装置のインジケータ装置では、上記のように、所定の方向に反射する第１反射部と、所定の方向と交差する前方向に反射する第２反射部と、第２反射部により反射された光を表示する表示部とを含むレンズ部材を含むことによって、光源部からの光は、第１反射部により反射されて所定の方向に進行した後に、第２反射部により反射されて所定の方向と交差する前方向に進行して表示部により表示されるので、光源部から照射された光は、光源部から表示部まで所定の方向および前方向の合計の距離の分だけ進行する。これにより、光源部から照射された光は、表示部に到達するまでに拡大するので、光源部からの光による表示部への照射領域を拡大させることができる。また、光源部をレンズ部材の一部である第２反射部と前後方向の位置が重なるように配置して、光源部からの光を第２反射部により所定の方向と交差する前方向に反射させて表示部に表示させることによって、光源部とレンズ部材の第２反射部とが前後方向に重なる分だけ、インジケータ装置の奥行き方向の長さを小さくすることができるので、インジケータ装置の奥行き方向の長さが大きくなるのを抑制することができる。その結果、光源部からの光による表示部への照射領域を拡大させながら、インジケータ装置の奥行きが大きくなることを抑制することができる。また、レンズ部材の第１反射部は、段差形状に形成されており、光源部から照射された光のうち、第１反射部によって反射された光が段差形状を反映するように表示部に表示されるとともに、光源部から照射された光のうち、光源部から直接照射された光が光源部の形状を反映するように表示部に表示されるように構成されている。このように構成すれば、光源部からの光は、第１反射部に複数設けられた段差のそれぞれにより反射されることによって、表示部に第１反射部が有している段差の数だけ光点を表示させることができる。
【発明を実施するための最良の形態】
【００２２】
以下、本発明を具体化した実施形態を図面に基づいて説明する。
【００２３】
図１は、本発明の一実施形態によるインジケータ装置を備えたディスク装置付きテレビジョン装置の全体構造を示した斜視図である。また、図２は、図１のディスク装置付きテレビジョン装置のインジケータ装置とインジケータ装置周辺とを拡大した正面図である。図３〜図１０は、図１に示した本発明の一実施形態によるインジケータ装置とインジケータ装置を備えるディスク装置付きテレビジョン装置との構造を示した図である。まず、図１〜図１０を参照して、本発明の一実施形態によるインジケータ装置１０を備えるディスク装置付きテレビジョン装置１の構成について説明する。なお、本実施形態では、テレビジョン装置の一例であるディスク装置付きテレビジョン装置１に本発明を適用した場合について説明する
【００２４】
本発明の一実施形態によるディスク装置付きテレビジョン装置１は、図１に示すように、映像を表示するための液晶パネル２を備えている。また、液晶パネル２は、前部筐体３と後部筐体４とにより支持されている。この前部筐体３には、図１および図２に示すように、液晶パネル２の下に設けられ、ディスクを挿入するためのディスク挿入口５と、ディスク挿入口５の下方に設けられ、後述するインジケータ装置１０の表示部１９が挿入される表示部挿入口６が形成されている。
【００２５】
また、図３に示すように、前部筐体３の背面には、後述する発光ダイオード素子３２（以下ＬＥＤ３２という）（図８参照）からの光を表示するためのインジケータ装置１０が設けられている。このインジケータ装置１０は、表示部挿入口６に挿入される表示部１９（図２参照）を有する透光性の樹脂製のレンズ１１と、ＬＥＤ３２と、ＬＥＤ３２（図８参照）が取り付けられる配線基板３１とを含んでいる。なお、レンズ１１は、本発明の「レンズ部材」の一例である。
【００２６】
また、図３および図４に示すように、前部筐体３の背面には、レンズ１１（図３参照）を前部筐体３に取り付けるための一対の筐体側取付部７がＸ方向に所定の間隔を隔てて設けられている。この一対の筐体側取付部７の上部には、図４に示すように、レンズ１１（図３参照）の位置を規制するためのボス部７ａが設けられている。また、一対の筐体側取付部７の下部には、レンズ１１（図３参照）を取り付けるためのネジ穴７ｂが設けられている。また、前部筐体３の背面には、図３および図４に示すように、配線基板３１（図３参照）に当接し、矢印Ｙ２方向に押圧するために設けられたＬ字形状の一対のリブ８がさらに形成されている。
【００２７】
また、本実施形態では、図５〜図７に示すように、レンズ１１は、幅方向（Ｘ方向）の両外側に設けられた一対の脚部１２を有している。また、レンズ１１は、図５および図６に示すように、この一対の脚部１２から前後方向（Ｙ方向）の後方向（矢印Ｙ２方向）に突出するように形成された突出部１３と、突出部１３の端部から幅方向（Ｘ方向）の外側に向かって突出するように設けられたレンズ側取付部１４とをさらに有している。この一対のレンズ側取付部１４は、レンズ１１を前部筐体３（図３参照）の筐体側取付部７に取り付けるために設けられている。また、レンズ側取付部１４の上部には、筐体側取付部７のボス部７ａに挿入されるボス挿入穴１４ａが設けられており、レンズ側取付部１４の下部には、筐体側取付部７のネジ穴部７ｂに対応する位置にネジ挿入穴１４ｂが設けられている。また、図５および図６に示すように、一対の突出部１３には、それぞれ、脚部１２とレンズ側取付部１４との間から幅方向（Ｘ方向）の内側に向かって突出するように形成された基板支持部１５が設けられている。この一対の基板支持部１５は、配線基板３１（図３参照）を取り付けるために設けられている。この基板支持部１５は、図６に示すように、前部筐体３（図３参照）の前面側（矢印Ｙ１方向）に突出するように設けられ、配線基板３１（図３参照）を仮固定するためのボス部１５ａを有している。
【００２８】
ここで、本実施形態では、図６に示すように、レンズ１１の一対の脚部１２の間には、Ｗ字形状の垂直導光部１６と、水平導光部１７とからなる導光部が設けられている。垂直導光部１６と水平導光部１７との接合部には、下方から照射されるＬＥＤ３２（図８参照）の光を前後方向（Ｙ方向）の前方向（矢印Ｙ１方向）に反射させるための前方反射部１８が設けられている。この前方反射部１８は、前方（矢印Ｙ１方向）に向かって斜め４５度に傾斜する傾斜面１８ａにより構成されている。なお、垂直導光部１６は、本発明の「第１部分」の一例であり、水平導光部１７は、本発明の「第２部分」の一例であり。また、前方反射部１８は、本発明の「第２反射部」の一例であり、傾斜面１８ａは、本発明の「第１傾斜部」の一例である。また、図５に示すように、水平導光部１７の前端部には、ＬＥＤ３２（図８参照）からの光を表示するための表示部１９が設けられている。この表示部１９の前端面は、微細な凹凸形状を有している。
【００２９】
また、本実施形態では、図５〜図７に示すように、Ｗ字形状の垂直導光部１６の中央部の凹状部には、ＬＥＤ３２（図８参照）を配置するためのＬＥＤ配置部２０が設けられている。また、垂直導光部１６は、ＬＥＤ配置部２０から幅方向の両外側に向かって延びるように形成された、一対の平坦部２１を有している。また、垂直導光部１６には、一対の平坦部２１から外側斜め上方向に向かって前方反射部１８の端部近傍まで延びるように形成された傾斜部２２ａを有する一対の上方反射部２２が設けられている。この上方反射部２２は、ＬＥＤ３２（図８参照）からの光を上方向に反射させるために設けられている。また、上方反射部２２の傾斜部２２ａは、図７に示すように、垂直方向に対して若干（数度）外側斜め上方向に延びる段差部２２ｂと、水平方向に対して若干（数度）外側斜め上方向に延びる段差部２２ｃとから成る段差形状を有している。また、最も内側（平坦部２１側）に設けられた段差部２２ｄから最も外側（脚部１２側）に設けられた段差部２２ｅの間に設けられている段差部は、同じ形状になるように形成されている。このように形成されることにより、上方反射部２２により反射した反射光は、表示部１９に段差部２２ｂの数だけ光点として表示される。なお、ＬＥＤ配置部２０は、本発明の「光源配置部」の一例であり、上方反射部２２は、本発明の「第１反射部」の一例であり、傾斜部２２ａは、本発明の「第２傾斜部」の一例である。
【００３０】
また、図８および図９に示すように、配線基板３１の表側（奥行き方向の前側（図９の矢印Ｙ１方向））の実質的に中央部には、ＬＥＤ３２が取り付けられている。なお、ＬＥＤ３２は、本発明の「光源部」の一例である。また、ＬＥＤ３２を配線基板３１に電気的に接続するための一対の半田部３３が設けられている。また、図８および図９示すように、配線基板３１の後面（図９の矢印Ｙ２方向））には、ＬＥＤ３２に電源を供給するためのリード線３４とソケット３５とが取り付けられている。また、図８〜図１０に示すように、配線基板３１の両端部近傍には、レンズ１１の基板支持部１５（図９および図１０参照）のボス部１５ａ（図９および図１０参照）に挿入されるボス挿入穴３１ａが設けられている。
【００３１】
図１１は、本発明の一実施形態によるディスク装置付きテレビジョン装置の前部筐体にインジケータ装置を取り付ける手順を説明するための分解斜視図である。次に、図３および図９〜図１１を参照して、本発明の一実施形態によるディスク装置付きテレビジョン装置１の前部筐体３にインジケータ装置１０を取り付ける手順について説明する。
【００３２】
まず、図９および図１０に示すように、レンズ１１の一対の基板支持部１５の一対のボス部１５ａを、配線基板３１の一対のボス挿入穴３１ａに、それぞれ、挿入することによって、配線基板３１は、レンズ１１に仮固定される。具体的には、図１０に示すように、配線基板３１がレンズ１１に取り付けられた際に、レンズ１１の基板支持部１５の前側（矢印Ｙ１方向側）で、かつ、Ｗ字形状の垂直導光部１６の後側（矢印Ｙ２方向側）に配置される。すなわち、配線基板３１は、基板支持部１５のボス部１５ａに配線基板３１のボス挿入穴３１ａが挿入された状態で、平面的に見て、基板支持部１５と垂直導光部１６との間に配置される。これにより、垂直導光部１６により、配線基板３１が基板支持部１５のボス部１５ａから外れる方向に移動するのが抑制されるので、配線基板３１は、レンズ１１に対して仮固定された状態となる。また、配線基板３１のボス挿入穴３１ａが基板支持部１５のボス部１５ａに挿入されることによって、レンズ１１に対する配線基板３１の位置決めが行われるので、図１０に示すように、ＬＥＤ３２は、レンズ１１のＷ字形状の垂直導光部１６の中央部に設けられているＬＥＤ配置部２０の中央部に配置された状態になる。
【００３３】
次に、図１１に示すように、レンズ１１の表示部１９を前部筐体３の表示部挿入口６に挿入し、同時に、レンズ１１の一対のレンズ側取付部１４のボス挿入穴１４ａに前部筐体３の一対の筐体側取付部７のボス部７ａを、それぞれ挿入する。これにより、前部筐体３に対するレンズ１１および配線基板３１の位置決めが行われる。この際に、図３に示すように、配線基板３１は、前部筐体３の一対のＬ字形状のリブ８によって、配線基板３１の前面の両側辺に沿った部分および下辺の側辺近傍部分に当接される。これにより、配線基板３１は、リブ８によって後方（図１１の矢印Ｙ２方向）に向かって押圧される。次に、レンズ１１の一対のレンズ側取付部１４のネジ挿入穴１４ｂにネジ部材４０を挿入した状態で、前部筐体３の一対のネジ穴７ｂに締め付ける。これにより、前部筐体３にインジケータ装置１０が取り付けられるとともに、配線基板３１を前部筐体３のリブ８とレンズ１１の基板支持部１５とで挟み込むことによって固定することが可能であるので、配線基板３１を取り付けるためのネジなどが不要になる。このようにして、インジケータ装置１０は、前部筐体３に取り付けられる。
【００３４】
図１２は、本発明の一実施形態によるインジケータ装置の発光ダイオード素子（ＬＥＤ）から照射された光の光路を示した背面図である。また、図１３は、一実施形態によるインジケータ装置の発光ダイオード素子から照射された光の光路を示した側面断面図である。また、図１４は、一実施形態によるインジケータ装置の発光ダイオード素子により表示部に表示される光の光点を示した図である。次に、図１２〜図１４を参照して、ディスク装置付きテレビジョン装置１のインジケータ装置１０のＬＥＤ３２から照射される光の光路および表示部１９に表示される光点について説明する。
【００３５】
まず、図１２に示すように、ＬＥＤ３２から照射された光は、ＬＥＤ３２の光出射部（図示せず）を中心として放射状に照射されるので、上方向（矢印Ｚ１方向）に進行する光は、前方反射部１８に向かって進行する。また、幅方向（Ｘ方向）に向かって照射される光は、段差形状の上方反射部２２に向かって進行する。そして、上方反射部２２に到達した光は、段差部２２ｂにより上方に反射されて、前方反射部１８に向かって進行する。
【００３６】
次に、図１３に示すように、ＬＥＤ３２から上方向（矢印Ｚ１方向）に向かって照射された光と、上方反射部２２（図１２参照）の段差部２２ｂ（図１２参照）により反射されて上方向に向かう光とは、垂直導光部１６を透過して、前方反射部１８によって前方向（矢印Ｙ１方向）に向かって進行する。そして、前方反射部１８によって前方向（矢印Ｙ１方向）に進行する光は、図１３に示すように、水平導光部１７を透過して、表示部１９において、図１４に示すような光点を表示させる。この光点は、レンズ１１の垂直導光部１６のＷ字形状を反映している。具体的には、中央の光点Ｌ１は、上方反射部２２により反射せずに、ＬＥＤ配置部２０から直接前方反射部１８に向かって進行した光の光点である。また、中央の光点Ｌ１の両隣の光点Ｌ２から両端部の光点Ｌ３までの光点は、上方反射部２２の段差部２２ｂ（図７参照）により反射された光による光点を示している。また、最も中央部よりの段差部２２ｄ（図７参照）により反射した光による光点は、光点Ｌ２となる。また、両端部の段差部２２ｅ（図７参照）により反射した光による光の光点は、表示部１９に表示される光点の中で最外部に表示される光点Ｌ３となる。段差部２２ｄ（図７参照）と段差部２２ｅ（図７参照）との間の段差部によって反射された光による光点ついては、中央部から両端部の方向へ順番にＸ方向に所定の間隔を隔てて表示される。このようにして、表示部１９に、レンズ１１の垂直導光部１６のＷ字形状を反映した光点を表示させることが可能となる。
【００３７】
本実施形態では、上記のように、インジケータ装置１０を、上方向（矢印Ｚ方向）に反射する上方反射部２２と、前方向（矢印Ｙ１方向）に反射する前方反射部１８と、前方反射部１８により反射された光を表示する表示部１９とを含むレンズ１１を備えるように構成することによって、ＬＥＤ３２からの光は、上方反射部２２により反射されて上方向（矢印Ｚ１方向）に進行した後に、前方反射部１８により反射されて前方向（矢印Ｙ１方向）に進行して表示部１９により表示されるので、ＬＥＤ３２から照射された光は、ＬＥＤ３２から表示部１９まで上方向（矢印Ｚ１方向）および前方向（矢印Ｙ１方向）の合計の距離の分だけ進行する。これにより、ＬＥＤ３２から照射された光は、表示部１９に到達するまでに拡大するので、ＬＥＤ３２からの光による表示部１９への照射領域を拡大させることができる。また、ＬＥＤ３２を前方反射部１８と前後方向（Ｙ方向）の位置が重なるように配置して、ＬＥＤ３２からの光を前方反射部１８により前方向（矢印Ｙ１方向）に反射させて表示部１９に表示させることによって、ＬＥＤ３２とレンズ１１の前方反射部１８とが前後方向（Ｙ方向）に重なる分だけ、インジケータ装置１０の奥行き方向の長さを小さくすることができるので、奥行き方向（Ｙ方向）の長さが大きくなるのを抑制することができる。その結果、ＬＥＤ３２からの光による表示部１９への照射領域を拡大させながら、インジケータ装置１０の奥行きが大きくなることを抑制することができる。
【００３８】
また、本実施形態では、上記のように、レンズ１１は、下方向（矢印Ｚ２方向）に延びる垂直導光部１６と、奥行き方向（Ｙ方向）に延びるとともに、前端面に表示部１９を有する水平導光部１７とを含み、前方反射部１８を、垂直導光部１６と水平導光部１７との境界部近傍の外面に設けられた傾斜面１８ａにより構成することによって、水平導光部１７の前端面に設けられた表示部１９に対して前方反射部１８は水平導光部１７の後端部に設けられるので、前方反射部１８により反射したＬＥＤ３２からの光は、水平導光部１７の奥行き方向（Ｙ方向）のほぼ全ての長さを透過して進行するので、表示部１９に表示される光の照射領域を効率的に拡大させることができる。
【００３９】
また、本実施形態では、上記のように、レンズ１１の垂直導光部１６を、正面から見てＷ字形状に形成し、垂直導光部１６に、幅方向（Ｘ方向）の中央部の凹状部にＬＥＤ３２を配置するためのＬＥＤ配置部２０を設け、幅方向（Ｘ方向）の外側の側面に、ＬＥＤ配置部２０の外側に向かって形成された平坦部２１の外側の端部から外側斜め方向に向かって延びる傾斜部２２ａを有するとともに、ＬＥＤ配置部２０からの光を上方向（矢印Ｚ１方向）に反射する上方反射部２２を設けることによって、ＬＥＤ３２からの光は、上方反射部２２により反射される際に、上方反射部２２が有する外側斜め方向に向かって延びる傾斜部２２ａにより、所定の広がりを有した状態で上方向（矢印Ｚ１方向）に向かって反射される。これにより、前方反射部１８のみならず、上方反射部２２により反射された光によっても、光の照射領域を拡大することができるので、表示部１９に表示される光の照射領域をより効率的に拡大させることができる。
【００４０】
また、本実施形態では、上記のように、ＬＥＤ３２を垂直導光部１６の幅方向（Ｘ方向）の中央部のＬＥＤ配置部２０に配置された１つのＬＥＤ３２により構成し、上方反射部２２が有する傾斜部２２ａを１つのＬＥＤ３２を挟むように、Ｗ字形状の垂直導光部１６の外側の両方の側面に設けることによって、１つのＬＥＤ３２を用いて、２つの上方反射部２２により光を所定の広がり角度を有した状態で上方向（矢印Ｚ１方向）に向かって反射させることができるので、１つのＬＥＤ３２を用いる場合にも、表示部１９に表示される光の照射領域をより有効に拡大させることができる。
【００４１】
また、本実施形態では、上記のように、レンズ１１の上方反射部２２の傾斜部２２ａは、垂直方向に対して若干外側に傾斜した方向に延びる段差部２２ｂと、水平方向に対して若干外側斜め上方向に延びる段差部２２ｃとから成る段差形状を有しており、表示部１９に表示される光が上方反射部２２の傾斜部２２ａが有する段差形状を反映するように表示されるように構成することによって、ＬＥＤ３２からの光は、上方反射部２２に複数設けられた段差部２２ｂのそれぞれにより反射される。これにより、表示部１９に上方反射部２２が有している上下方向（Ｚ方向）に延びる段差部２２ｂの数だけ光点を表示させることができる。
【００４２】
また、本実施形態では、上記のように、レンズ１１の表示部１９の表面を、前方反射部１８により反射された光が表示部１９を透過する際に、光を発散させるために微細な凹凸形状部を有するように構成することによって、前方反射部１８により反射された光は、表示部１９を透過する際に発散するため、表示部１９に表示される光の照射領域をさらに拡大させることができる。
【００４３】
また、本実施形態では、上記のように、レンズ１１をＬＥＤ３２からの光が透光性を有するように形成することによって、ＬＥＤ３２からの光は、レンズ１１を容易に透過することができる。また、レンズ１１を樹脂で形成することによって、複雑な形状でも樹脂成形により容易に形成することができる。
【００４４】
また、本実施形態では、上記のように、レンズ１１の上方反射部２２を含む垂直導光部１６と、前方反射部１８と表示部１９とを含む水平導光部１７とを一体的に形成することによって、レンズ１１の垂直導光部１６と水平導光部１７とを別々に設ける場合と比較して、部品点数を削減することができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
たとえば、上記実施形態では、インジケータ装置を備える装置の一例としてディスク装置付きテレビジョン装置を示したが、本発明はこれに限らず、インジケータ装置を配置できる機器であれば、画像表示装置、録画再生機器、ステレオ、ＰＣ（Ｐｅｒｓｏｎａｌ Ｃｏｍｐｕｔｅｒ）などについても適用可能である。
【００４７】
また、上記実施形態では、インジケータ装置のレンズを透光性の樹脂製とする例を示したが、本発明はこれに限らず、樹脂製以外で透光性の高いガラスなどで形成してもよい。
【図面の簡単な説明】
【００４８】
【図１】本発明の一実施形態によるインジケータ装置を備えたディスク装置付きテレビジョン装置の全体構造を示した斜視図である。
【図２】本発明の一実施形態によるディスク装置付きテレビジョン装置のインジケータ装置周辺の構造を示した拡大正面図である。
【図３】図１に示した一実施形態によるディスク装置付きテレビジョン装置の前部筐体とインジケータ装置との背面図である。
【図４】図３に示した一実施形態による前部筐体の背面の構造を示した斜視図である。
【図５】図３に示した一実施形態によるインジケータ装置のレンズの構造を示した斜視図である。
【図６】図３に示した一実施形態によるインジケータ装置のレンズの構造を示した斜視図である。
【図７】図３に示した一実施形態によるインジケータ装置のレンズの構造を示した背面図である。
【図８】図３に示した一実施形態によるインジケータ装置の基板部の構造を示した正面図である。
【図９】図３に示した一実施形態によるインジケータ装置の構造を示した斜視図である。
【図１０】図３に示した一実施形態によるインジケータ装置の構造を示した底面図である。
【図１１】図１に示した一実施形態によるディスク装置付きテレビジョン装置の前部筐体とインジケータ装置との組み付け方法を示した分解斜視図である。
【図１２】図３に示した一実施形態によるインジケータ装置の発光ダイオード素子から照射された光の光路を説明するための背面図である。
【図１３】図３に示した一実施形態によるインジケータ装置の発光ダイオード素子から照射された光の光路を説明するための側面断面図である。
【図１４】図１に示した一実施形態によるインジケータ装置の表示部に表示された光点を示した正面図である。
【符号の説明】
【００４９】
１  ディスク装置付きテレビジョン装置（テレビジョン装置）
１０  インジケータ装置
１１  レンズ（レンズ部材）
１６  垂直導光部（第１部分）
１７  水平導光部（第２部分）
１８  前方反射部（第２反射部）
１８ａ  傾斜面（第１傾斜部）
１９  表示部
２０  発光ダイオード素子配置部（ＬＥＤ配置部）（光源配置部）
２２  上方反射部（第１反射部）
２２ａ  傾斜部（第２傾斜部）
３２  発光ダイオード素子（ＬＥＤ）（光源部）
【図１】
0004458125.tif 000002
【図２】
0004458125.tif 000003
【図３】
0004458125.tif 000004
【図４】
0004458125.tif 000005
【図５】
0004458125.tif 000006
【図６】
0004458125.tif 000007
【図７】
0004458125.tif 000008
【図８】
0004458125.tif 000009
【図９】
0004458125.tif 000010
【図１０】
0004458125.tif 000011
【図１１】
0004458125.tif 000012
【図１２】
0004458125.tif 000013
【図１３】
0004458125.tif 000014
【図１４】
0004458125.tif 000015